【手続補正書】
【提出日】平成24年8月7日(2012.8.7)
【手続補正１】
【補正対象書類名】特許請求の範囲
【補正対象項目名】全文
【補正方法】変更
【補正の内容】
【特許請求の範囲】
【請求項１】
情報処理装置であって、
他の装置との間でＮＦＣ（Near Field Communication）による通信が可能となったことを検出する検出手段と、
前記他の装置との間でＮＦＣによる通信が可能となったことの検出に応じて、前記情報処理装置に接続または内蔵された表示器に前記情報処理装置が表示させている第１のデータを前記他の装置に出力させるための第２のデータを前記他の装置に送信する送信手段と、を有することを特徴とする情報処理装置。
【請求項２】
前記他の装置との間でＮＦＣによる通信が可能となったことの検出に応じて前記第２のデータを生成する生成手段を更に備えることを特徴とする請求項１に記載の情報処理装置。
【請求項３】
前記情報処理装置は前記表示器にウインドウを表示させ、
前記送信手段は、前記ウインドウ内で表示しているデータを出力対象とする第２のデータを送信することを特徴とする請求項１または２に記載の情報処理装置。
【請求項４】
前記送信手段は、前記情報処理装置が前記表示器に表示させているウインドウが複数ある場合、操作対象として選択されているウインドウ内で表示しているデータを出力対象とする第２のデータを送信する、ことを特徴とする請求項３に記載の情報処理装置。
【請求項５】
前記送信手段は、前記操作対象として選択されているウインドウ内で表示している１ページのみを出力対象とする第２のデータを送信する、ことを特徴とする請求項４に記載の情報処理装置。
【請求項６】
前記送信手段は、前記操作対象として選択されているウインドウで表示している全ページを出力対象とする第２のデータを送信する、ことを特徴とする請求項４に記載の情報処理装置。
【請求項７】
前記送信手段は、前記情報処理装置が前記表示器に表示させているウインドウが複数ある場合、前記表示器に表示させている各々のウインドウ内で表示しているデータの全てを出力対象とする第２のデータを送信する、ことを特徴とする請求項３に記載の情報処理装置。
【請求項８】
前記表示器に前記情報処理装置が表示させているデータを出力対象とした第２のデータを生成する生成手段を更に有し、
前記送信手段は、前記他の装置との間でＮＦＣによる通信が可能となったことの検出に応じて、前記生成手段により生成された前記第２のデータを送信する
ことを特徴とする請求項１に記載の情報処理装置。
【請求項９】
前記生成手段は、前記他の装置との間でＮＦＣによる通信が可能となったことの検出に応じて前記第２のデータを生成することを特徴とする請求項８に記載の情報処理装置。
【請求項１０】
前記情報処理装置は前記表示器にウインドウを表示させ、
前記生成手段は、前記ウインドウ内で表示しているデータを出力対象とした第２のデータを生成する、ことを特徴とする請求項８または９に記載の情報処理装置。
【請求項１１】
前記生成手段は、前記情報処理装置が前記表示器に表示させているウインドウが複数ある場合、操作対象として選択されているウインドウ内で表示しているデータを出力対象とした第２のデータを生成する、ことを特徴とする請求項１０に記載の情報処理装置。
【請求項１２】
前記生成手段は、前記操作対象として選択されているウインドウ内で表示している１ページのみを出力対象として第２のデータを生成する、ことを特徴とする請求項１１に記載の情報処理装置。
【請求項１３】
前記生成手段は、前記操作対象として選択されているウインドウで表示している全ページを出力対象として第２のデータを生成する、ことを特徴とする請求項１１に記載の情報処理装置。
【請求項１４】
前記生成手段は、前記情報処理装置が前記表示器に表示させているウインドウが複数ある場合、前記表示器に表示させている各々のウインドウ内で表示しているデータの全てを出力対象として第２のデータを生成する、ことを特徴とする請求項１０に記載の情報処理装置。
【請求項１５】
前記第２のデータは、前記第１のデータを印刷対象とした印刷データであることを特徴とする請求項１乃至１４に何れか１項に記載の情報処理装置。
【請求項１６】
情報処理装置の制御方法であって、
他の装置との間でＮＦＣ（Near Field Communication）による通信が可能となったことを検出する検出工程と、
前記他の装置との間でＮＦＣによる通信が可能となったことの検出に応じて、前記情報処理装置に接続または内蔵された表示器に前記情報処理装置が表示させている第１のデータを前記他の装置に出力させるための第２のデータを前記他の装置に送信する送信工程と、を有することを特徴とする情報処理装置の制御方法。
【請求項１７】
情報処理装置であって、
他の装置との間でＮＦＣ（Near Field Communication）による通信が可能となったことを検出する検出手段と、
前記他の装置との間でＮＦＣによる通信が可能となったことの検出に応じて、前記他の装置に接続または内蔵された表示器に前記他の装置が表示させている第１のデータを前記情報処理装置が出力するための第２のデータを前記他の装置から受信する受信手段と、
受信した前記第２のデータに基づいて、前記第１のデータを出力する出力手段とを有することを特徴とする情報処理装置。
【請求項１８】
情報処理装置の制御方法であって、
他の装置との間でＮＦＣ（Near Field Communication）による通信が可能となったことを検出する検出工程と、
前記他の装置との間でＮＦＣによる通信が可能となったことの検出に応じて、前記他の装置に接続または内蔵された表示器に前記他の装置が表示させている第１のデータを前記情報処理装置が出力するための第２のデータを前記他の装置から受信する受信工程と、
受信した前記第２のデータに基づいて、前記第１のデータを出力する出力工程とを有することを特徴とする情報処理装置の制御方法。
【請求項１９】
コンピュータを請求項１乃至１５、１７のいずれか１項に記載の情報処理装置の各手段として機能させるためのプログラム。
【手続補正２】
【補正対象書類名】明細書
【補正対象項目名】発明の名称
【補正方法】変更
【補正の内容】
【発明の名称】情報処理装置およびその制御方法、プログラム
【手続補正３】
【補正対象書類名】明細書
【補正対象項目名】０００１
【補正方法】変更
【補正の内容】
【０００１】
本発明は、他の装置へデータを伝送する情報処理装置、他の装置から伝送されたデータを出力する情報処理装置、およびプログラムに関する。
【手続補正４】
【補正対象書類名】明細書
【補正対象項目名】０００９
【補正方法】変更
【補正の内容】
【０００９】
本発明は、上記の課題に鑑みてなされたものであり、情報処理装置が表示しているデータを簡便な操作で他の装置に出力させることを目的とする。
【手続補正５】
【補正対象書類名】明細書
【補正対象項目名】００１０
【補正方法】変更
【補正の内容】
【００１０】
上記目的を達成するための、本発明の一態様による情報処理装置は、以下の構成を有する。すなわち、
情報処理装置であって、
他の装置との間でＮＦＣ（Near Field Communication）による通信が可能となったことを検出する検出手段と、
前記他の装置との間でＮＦＣによる通信が可能となったことの検出に応じて、前記情報処理装置に接続または内蔵された表示器に前記情報処理装置が表示させている第１のデータを前記他の装置に出力させるための第２のデータを前記他の装置に送信する送信手段と、を有する
。
【手続補正６】
【補正対象書類名】明細書
【補正対象項目名】００１１
【補正方法】変更
【補正の内容】
【００１１】
本発明によれば、情報処理装置が表示しているデータを簡便な操作で他の装置に出力させることが可能となる。例えば、ＰＣなどの情報処理装置をプリンタに近づけるだけで、表示されている文書を印刷することができ、印刷操作を行なう手間を著しく簡略にすることができる。